(57)【特許請求の範囲】
【請求項１】
建物の上下階に亘って排水竪管（１ａ）が配設されると共に、各階に設置された排水機器（ｃ）が横引き管（２ａ）を介して排水竪管（１ａ）に接続され、また前記排水竪管（１ａ）と接近して通気竪管（１ｂ）が並設されると共に、各階に配設された横引き管（２ａ）が通気管（２ｂ）を介して通気竪管（１ｂ）に接続した既設配管ラインを再生するにあたり、次の各工程からなることを特徴とする既設配管の再生工法。
▲１▼排水竪管（１ａ）と接近した位置に管内を排水経路とする内管（３ａ）と、該内管（３ａ）の外周側を外管（３ｂ）で覆って内管（３ａ）と外管（３ｂ）との間に通気経路を形成する二層管（３）を配設すると共に、該二層管（３）の適所に集合排水継手（４）を配設すること、
▲２▼各階に配設された通気管（２ｂ）を二層管（３）に接続し、該二層管（３）の内管（３ａ）と外管（３ｂ）との間に形成された通気経路に通気管（２ｂ）を連通させること、
▲３▼各階に配設された横引き管（２ａ）を集合排水継手（４）に接続し、該集合排水継手（４）を介して横引き管（２ａ）を二層管（３）を構成する内管（３ａ）  の排水経路と連通させること、
【請求項２】
集合排水継手（４）は内継手（４ａ）と、該内継手（４ａ）の外周側を覆って所定間隙の通気経路を形成する外継手（４ｂ）とからなり、内継手（４ａ）の上下継手部に上流側と下流側の内管（３ａ）の端部を接続すると共に、外継手（４ｂ）の上下継手部に上流側と下流側の外管（３ｂ）の端部を接続することを特徴とする請求項１記載の既設配管の再生工法。
【発明の詳細な説明】
【０００１】
【発明の属する技術分野】
本発明は、排水竪管と通気竪管からなる二管式の既設配管ラインを、管内を排水経路とする内管と、該内管の外周側を外管で覆って内管と外管との間に通気経路を形成した二層管からなる配管ラインに置き換える再生工法に関する。
【０００２】
【従来の技術】
従来からアパート、マンション等の高層住宅では、図４に配管概略図で示したように排水竪管１ａと通気竪管１ｂからなる二管式の排水システムが採用されている。この排水システムは、建物の上下階に亘って排水竪管１ａを配設すると共に、各階に設置された浴槽、洗濯機、便器等の排水機器ｃを横引き管２ａを介して排水竪管１ａに接続した構成からなっており、該排水竪管１ａの下流側は排水ピットや、下水本管と接続している。
【０００３】
また、前記排水竪管１ａと接近して通気竪管１ｂが並設されており、各階に配設された横引き管２ａは通気管２ｂを介して通気竪管１ｂと接続している。これによって前述した汚水の排水経路が大気圧に維持され、排水機器ｃから放出された生活汚水は横引き管２ａから排水竪管１ａにスムースに流入して排出されるため、排水機器ｃから逆流したり、臭気が室内に浸入することもない。
【０００４】
【発明が解決しようとする課題】
ところで、この従来の排水システムは、排水竪管と通気竪管の２本の配管から構成されているため、老朽化した配管を新しいものと取り換える際に施工作業が面倒で、手間がかかるという問題があった。即ち、排水竪管と通気竪管が配管されているパイプシャフト内は狭いため増設配管が行なえず、既設配管を撤去してから新しい配管に取り換える必要がある。このため、建物の全館あるいは各階毎に排水機器の使用を停止して配管工事を行なうか、排水機器を使用しない夜間に配管工事を行なわなければならず、施工作業も非常に面倒であった。
【０００５】
また、従来の二管式の排水システムは、排水竪管内を流下する排水の落下音や衝撃音が騒音公害の原因ともなり、建物内に居住する住民に精神的な苦痛を与えたり、安眠の妨げとなることがあった。このため、従来の二管式の排水システムに換えて管内を排水経路とする内管と、該内管の外周側を外管で覆って内管と外管との間に通気経路を形成した二層管による排水システムが普及しつつある。
【０００６】
本発明はかかる二管式の配管ラインを、内管と外管とからなる二層管の配管ラインに置き換える配管工事の際に、建物の全館に亘る排水機器の使用停止を行なわなくても、一部の階あるいは一部の排水機器の使用を停止するだけで配管施工が簡単に行える既設配管の再生工法を提供するものである。
【０００７】
【課題を解決するための手段】
本発明は、建物の上下階に亘って排水竪管が配設されると共に、各階に配設された排水機器が横引き管を介して排水竪管に接続され、また前記排水竪管と接近して通気竪管が並設されると共に、各階に配設された横引き管が通気管を介して通気竪管に接続した既設配管ラインを再生するにあたり、先ず排水竪管と接近した位置に管内を排水経路とする内管と、該内管の外周側を外管で覆って内管と外管との間に通気経路を形成する二層管を配設し、該二層管の適所に集合排水継手を配設する。次に、各階に配設された通気管を二層管に接続し、該二層管の内管と外管との間に形成された通気経路に通気管を連通させる。
そして、各階に配設された横引き管を集合排水継手に接続し、該集合排水継手を介して横引き管を二層管を構成する内管に連通させたことを特徴とする。
【０００８】
この配管施工の際に、内継手と、該内継手の外周側を所定間隙の通気経路を形成する外継手で覆った集合排水継手を用いるとよい。この集合排水継手による配管施工の場合には、内継手の上下継手部に上流側と下流側の内管の端部を接続すると共に、外継手の上下継手部に上流側と下流側の外管の端部を接続し、各階に配設された横引き管を集合排水継手の内継手に接続する。
【０００９】
【発明の実施の形態】
以下、本発明の実施の形態を図面にて詳細に説明する。
図１及び図２は本発明の各工程を示す配管概略図であって、図１は第一段階の配管工程を示す概略図、図２は第二段階の配管工程を示す概略図である。図３は集合排水継手に横引き管を接続した状態を示す断面図であって、図中の符号３は二層管、４は集合排水継手である。
【００１０】
本発明で使用する二層管３は塩化ビニル樹脂等の合成樹脂からなる内管３ａと、鋼管等の耐火性を有する外管３ｂとで構成されている。図３に示した如く、内管３ａは管内が排水経路となっており、該内管３ａの外周側が外管３ｂで同芯状に覆われ、内管３ａと外管３ｂとの間に所定間隙の通気経路が形成されている。
【００１１】
一方、集合排水継手４は内継手４ａと、該内継手４ａの外周側を所定間隙の通気経路を形成する外継手４ｂで覆った構成からなっている。前記内継手４ａは内管３ａよりも大径に形成した円筒状本体の上部に継手部４１ａを設けると共に、円筒状本体の下方を漏斗状に縮径してその下端部に継手部４２ａを設けたものであって、それぞれの継手部４１ａ，４２ａに上流側と下流側の内管３ａの端部が接続できるようになっている。これと同様に、外継手４ｂは外管３ｂよりも大径に形成した円筒状本体の上部に継手部４１ｂを設けると共に、円筒状本体の下方を漏斗状に縮径してその下端部に継手部４２ｂを設けたものであって、それぞれの継手部４１ｂ，４２ｂに上流側と下流側の外管３ｂの端部が接続できるようになっている。
【００１２】
また、内継手４ａの上方肩部には、該内継手４ａと外継手４ｂとの間に形成された通気経路と連通する通気孔ａが設けられており、該通気孔ａを介して内継手４ａ内が常に大気圧に維持されるようになっている。更に、内継手４ａの円筒状本体には接線方向から分岐継手部４０が接続しており、該分岐継手部４０に横引き管２ａが接続できるようになっている。
【００１３】
次に、この二層管３と集合排水継手４を用いて排水竪管１ａと通気竪管１ｂからなる二管式の配管ラインを再生する作業手順を説明する。まず、排水竪管１ａと接近した位置に管内を排水経路とする内管３ａと、該内管３ａの外周側を外管３ｂで覆った二層管３を配設する。
【００１４】
この二層管３の配管ラインは、図１に示した如く既存の通気竪管１ｂを取り払ってからその空間に二層管３を配設するのが好ましいが、場合によっては既存の通気竪管１ｂを取り除かないでその隣りに二層管３を並設するようにしてもよい。そして、この二層管３を建物の下層階から上層階に向かって順次配管しつつ、その適所に集合排水継手４と継手部材５を介在させ、各継手部材５に各階に配設された通気管２ｂの一端部を接続する。
【００１５】
図３に示した如く、前記継手部材５は内継手５ａと外継手５ｂとを同芯状に形成すると共に、外継手５ｂに分岐継手部５０を接続したものであって、内継手５ａの上下継手部に上流側と下流側の内管３ａの端部を接続すると共に、外継手５ｂの上下継手部に上流側と下流側の外管３ｂの端部を接続する。そして、分岐継手部５０には、既存の通気竪管１ｂと接続している通気管２ｂを取り外してからその一端部を延長して接続し、該通気管２ｂを介して横引き管２ａを二層管３の通気経路と連通させる。
【００１６】
この様にして、建物の上下階に亘って二層管３を配設すると共に、各階に配設された通気管２ｂを二層管３に接続してから第二段階の配管施工を行う。
この配管作業では、図２に示した如く、既存の排水竪管１ａと接続している横引き管２ａを取り外してから、該横引き管２ａの一端部を適宜の継手等を介して集合排水継手４の分岐継手部４０に接続する。この配管作業を順次繰り返し、下層階から上層階まで各階に配設されている横引き管２ａを集合排水継手４に接続する。このとき、横引き管２ａの接続を行なう一部の階あるいは一部の排水機器ｃの使用を停止するだけで配管施工が簡単に行える。そして、最後に排水竪管１ａを取り除いて施工作業が終了する。
【００１７】
この二層管３の排水システムの場合には、二層管３の通気経路と集合排水継手４の通気経路とが連通して内継手４ａの内部が大気に開放されているため、横引き管２ａから流入した排水は内継手４ａの内周壁に沿って旋回しつつ下流側の内管３ａに流入し、スムースに落下する。このため、汚水が排水機器ｃから逆流したり、臭気が室内に浸入するという不都合が発生することもない。
【００１８】
また、この配管ラインは、内管３ａと内継手４ａの外周側が外管３ｂと外継手４ｂで覆われた二層構造となっているため、排水が上層階から内管３ａ内を流下するとき落下音や衝撃音が発生しても、これらの騒音は外管３ｂと外継手４ｂによって遮音されるため騒音公害が発生することもない。
【００１９】
【発明の効果】
以上詳述した如く、本発明は、排水竪管と接近した位置に二層管を配設して各階に配設された通気管を二層管に接続し、次に各階に配設された横引き管を二層管の適所に配設した集合排水継手に接続するので、配管工事のために建物の全館に亘る排水機器の使用停止を行なわなくても、一部の階あるいは一部の排水機器の使用を停止するだけで配管施工が簡単に行える。
【図面の簡単な説明】
【図１】図１本発明の第一段階の配管工程を示す概略図である。
【図２】図２は本発明の第二段階の配管工程を示す概略図である。
【図３】図３は集合排水継手に横引き管を接続した状態を示す断面図である。
【図４】図４は排水竪管と通気竪管からなる二管式の従来の配管ラインを示す概略図である。
【符号の説明】
１ａ    排水竪管
１ｂ    通気竪管
２ａ    横引き管
２ｂ    通気管
３    二層管
３ａ    内管
３ｂ    外管
４    集合排水継手
４ａ    内継手
４ｂ    外継手
５    継手部材
【図１】
0003623314.tif 000002
【図２】
0003623314.tif 000003
【図３】
0003623314.tif 000004
【図４】
0003623314.tif 000005